(57)【要約】【課題】  状態が動的に変化する物品の管理を容易かつ高精度に行うことができる物品管理プログラム，記録媒体，物品管理装置を提供することを目的とする。【解決手段】状態が動的に変化する物品１の管理を行うコンピュータに、ＩＤタグ２に書き込まれている情報を読み出す読み出し手段４を用いて、物品１に付けられたＩＤタグ２から物品状態情報または物品識別情報を読み出す情報読み出し手順と、ＩＤタグ２から読み出した物品状態情報または所定の物品管理ファイルから読み出した物品識別情報に関連付けられている物品状態情報と、所定の物品状態マスタから読み出した物品２に関連付けられている物品状態閾値情報とを比較し、その比較結果に応じた判定情報を出力する判定手順とを実行させることにより上記課題を解決する。【選択図】  図１
2005173732.tif 000002
【特許請求の範囲】
【請求項１】
状態が動的に変化する物品の管理を行うコンピュータに、
ＩＤタグに書き込まれている情報を読み出す読み出し手段を用いて、前記物品に付けられたＩＤタグから物品状態情報または物品識別情報を読み出す情報読み出し手順と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順と
を実行させる為の物品管理プログラム。
【請求項２】
状態が動的に変化する物品の管理を行うコンピュータに、
ＩＤタグに書き込まれている情報を読み出す読み出し手段を用いて、前記物品に付けられたＩＤタグから物品状態情報または物品識別情報を読み出す情報読み出し手順と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順と
を実行させる為の物品管理プログラムを記録したコンピュータ読み取り可能な記録媒体。
【請求項３】
状態が動的に変化する物品の管理を行う物品管理装置であって、
ＩＤタグに書き込まれている情報を読み出す読み出し手段に接続されており、
前記読み出し手段を用いて、前記物品に付けられたＩＤタグから物品状態情報または物品識別情報を読み出す情報読み出し手段と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手段と
を有することを特徴とする物品管理装置。
【発明の詳細な説明】
【技術分野】
【０００１】
本発明は、物品管理プログラム，記録媒体，物品管理装置に係り、特に状態が動的に変化する物品の管理を行う物品管理プログラム，記録媒体，物品管理装置に関する。
【背景技術】
【０００２】
例えば企業，自治体，法人団体等では、物品の一例としての備品を資産として管理している。このような備品は、持ち出しが可能な備品と、持ち出しが禁止されている備品とに分類される。従来、持ち出しが可能な備品の持ち出し又は持ち込みは管理台帳への記入や管理システムへのデータ入力によって管理されていた。
【０００３】
つまり、備品を持ち出し又は持ち込む者は、持ち出しが可能な備品か持ち出しが禁止されている備品かを判断し、その備品の持ち出し又は持ち込みを管理台帳への記入や管理システムへのデータ入力で自ら申請していた。
【０００４】
したがって、備品を持ち出し又は持ち込む者は、持ち出しが禁止されている備品であっても簡単に持ち出し又は持ち込みができていた。このような備品の持ち出し又は持ち込み管理の不徹底は、備品管理の精度を著しく低下させる。
【０００５】
このような問題に対処するため、特許文献１には、備品に持ち出しが可能であるか禁止されているかを表す情報を書き込んだＩＤタグを添付しておき、このＩＤタグを出入口等に設置したゲートで検知して備品の持ち出し可否を判定する技術が記載されている。
【特許文献１】特開平７−３０６９８７号公報
【発明の開示】
【発明が解決しようとする課題】
【０００６】
特許文献１に記載されている技術は、持ち出しが可能な備品と持ち出しが禁止されている備品とが固定的に決まっている場合に有効である。しかしながら、全ての備品を持ち出しが可能な備品と持ち出しが禁止されている備品とに分けられない場合もある。言い換えれば、動的に変化する備品の状態に応じて、その備品の持ち出しの可否が動的に決まる場合もあった。このような場合、特許文献１に記載されている技術では、動的に決まる持ち出しの可否を判定することができなかった。
【０００７】
動的に変化する備品の状態に応じて、その備品の持ち出しの可否が動的に決まる例としては、インストールされているウィルスチェックソフトのウィルス定義ファイルが最新版となっているコンピュータを持ち出し可能とし、ウィルスチェックソフトのウィルス定義ファイルが最新版となっていないコンピュータを持ち出し禁止とするような場合が考えられる。
【０００８】
本発明は、上記の点に鑑みなされたもので、状態が動的に変化する物品の管理を容易かつ高精度に行うことができる物品管理プログラム，記録媒体，物品管理装置を提供することを目的とする。
【課題を解決するための手段】
【０００９】
そこで、上記課題を解決するため、本発明は、状態が動的に変化する物品の管理を行うコンピュータに、ＩＤタグに書き込まれている情報を読み出す読み出し手段を用いて、前記物品に付けられたＩＤタグから物品状態情報または物品識別情報を読み出す情報読み出し手順と、前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順とを実行させる為の物品管理プログラムであることを特徴とする。
【００１０】
また、本発明は、状態が動的に変化する物品の管理を行うコンピュータに、ＩＤタグに書き込まれている情報を読み出す読み出し手段を用いて、前記物品に付けられたＩＤタグから物品状態情報または物品識別情報を読み出す情報読み出し手順と、前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順とを実行させる為の物品管理プログラムを記録したコンピュータ読み取り可能な記録媒体であることを特徴とする。
【００１１】
また、本発明は、状態が動的に変化する物品の管理を行う物品管理装置であって、ＩＤタグに書き込まれている情報を読み出す読み出し手段に接続されており、前記読み出し手段を用いて、前記物品に付けられたＩＤタグから物品状態情報または物品識別情報を読み出す情報読み出し手段と、前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手段とを有することを特徴とする。
【００１２】
本発明は、物品に付けられたＩＤタグから直接又は間接的に読み出した物品状態情報と物品状態マスタから読み出した物品状態閾値情報とを比較し、その比較結果に応じた判定情報を出力する。ＩＤタグから直接又は間接的に読み出される物品状態情報は、動的に変化する物品の状態を表している。また、物品状態マスタから読み出される物品状態閾値情報は、動的に変化する物品の望ましい状態を表している。
【００１３】
したがって、物品に付けられたＩＤタグから直接又は間接的に読み出した物品状態情報と物品状態マスタから読み出した物品状態閾値情報とを比較することで、動的に変化する物品の現在の状態が、動的に変化する物品の望ましい状態であるか否かの判定情報を出力できる。
【００１４】
本発明では、ＩＤタグを用いることにより動的に変化する物品の状態を容易かつ高精度に取得することができ、物品状態マスタを用いることにより動的に変化する物品の望ましい状態を容易かつ高精度に取得することができるので、動的に変化する物品の現在の状態が、動的に変化する物品の望ましい状態であるか否かの判定を容易かつ高精度に行うことができる。
【発明の効果】
【００１５】
上述の如く、本発明によれば、状態が動的に変化する物品の管理を容易かつ高精度に行うことができる。
【発明を実施するための最良の形態】
【００１６】
まず、本発明の理解を容易とするために、本発明の概要について説明する。図１は、本発明の概要について説明するための概要図である。管理の対象となる備品（以下、単に備品という）１は、ＩＤタグで構成される管理タグ２が付けられている。管理タグ２を構成するＩＤタグは、例えばＲＦＩＤ（Radio Frequency Identification）で利用するＩＤタグで実現される。また、備品１に管理タグ２を付ける方法は、貼付の他、備品１の筐体内への組み込みなど、備品１と管理タグ２とが関連付けられていればよい。
【００１７】
管理タグ２には、動的に変化する備品１の備品状態情報が、ＩＤタグ書込装置３を利用して書き込まれている。例えば備品１がコンピュータの場合、動的に変化する備品１の備品状態情報はそのコンピュータに施されたセキュリティ対策情報（例えばインストールされているウィルスチェックソフト，そのウィルスチェックソフトのウィルス定義ファイルなどの情報）が考えられる。また、ＩＤタグ書込装置３はアンテナとリーダライタとを含む構成である。ＩＤタグ書込装置３は、無線通信により管理タグ２に備品状態情報を書き込む。
【００１８】
例えば、備品１を持ち出し又は持ち込むとき、棚卸などのときに、備品１の備品状態情報が望ましい状態となっているか否かが判定される。ＩＤタグ読出装置４は、アンテナとリーダライタとを含む構成であり、無線通信により管理タグ２から備品状態情報を読み出して制御装置５に供給する。なお、図１ではＩＤタグ書込装置３とＩＤタグ読出装置４とを別の名称としているが、例えばＩＤタグ書込読出装置などの同一名称としてもよい。
【００１９】
制御装置５は、ＩＤタグ読出装置４を利用して管理タグ２から読み出した備品状態情報と備品１の備品状態情報の望ましい状態を表す備品状態閾値情報とを比較することで、備品１の備品状態情報が望ましい状態となっているか否かを判定する。また、制御装置５は備品１の備品状態情報が望ましい状態となっているか否かの判定情報を出力する。
【００２０】
このように、本発明は備品１に管理タグ２を付けておき、備品１の備品状態情報を管理タグ２に書き込んでおく。また、備品１の備品状態情報が望ましい状態となっているか否かを判定するための備品状態閾値情報を用意する。そして、備品１の備品状態情報が望ましい状態となっているか否かを判定する場合に、備品１に付けられた管理タグ２から読み出した物品状態情報と、用意してあった物品状態閾値情報とを比較し、その比較結果に応じた判定情報を出力する。
【００２１】
したがって、本発明は動的に変化する備品１の物品状態情報が望ましい状態となっているか否かの判定を容易かつ高精度に行うことができる。次に、本発明を実施するための最良の形態を、以下の実施例に基づき説明していく。なお、本発明は下記の実施例に限定されるものではなく、本発明の範囲内で種々の変形や変更が可能である。
【実施例１】
【００２２】
図２は、本発明による備品管理システムの一実施例の構成図である。ここでは、備品６０が本来あるべき事務所を本部１００，他の事務所を支部２００と呼ぶ。備品管理システムは、本部１００又は支部２００からの備品６０の持ち出しと、本部１００又は支部２００への備品６０の持ち込みとを管理する。
【００２３】
本部１００は、備品管理サーバ１０と，持出持込制御装置３０と，備品管理ファイル４０と，備品状態マスタ５０とが設置されている。また、支部２００は備品管理サーバ２１０と，持出持込制御装置２３０と，簡易備品管理マスタ２４０とが設置されている。本部１００の備品管理サーバ１０と支部２００の備品管理サーバ２１０とは、インターネットやＬＡＮなどのネットワーク３００を介して常時又は必要に応じて接続される。
【００２４】
備品管理サーバ１０は備品管理ファイル４０および備品状態マスタ５０を管理し、備品管理ファイル４０および備品状態マスタ５０から読み出した情報を必要に応じて持出持込制御装置３０または備品管理サーバ２１０に供給する。また、備品管理サーバ２１０は簡易備品管理マスタ２４０を管理し、簡易備品管理マスタ２４０から読み出した情報を必要に応じて持出持込制御装置２３０に供給する。
【００２５】
持出持込制御装置３０，２３０は、備品６０を持ち出し又は持ち込むときに、備品６０に付けられている管理タグ７０からの備品状態情報の読み出し又は管理タグ７０への備品状態情報の書き込みを、無線通信により行う。持出持込制御装置３０は、備品６０を持ち出し又は持ち込むとき、必要に応じて備品管理ファイル４０，備品状態マスタ５０の更新を備品管理サーバ１０に要求する。また、持出持込制御装置２３０は、備品６０を持ち出し又は持ち込むとき、必要に応じて簡易備品管理マスタ２４０の更新を備品管理サーバ２１０に要求する。持出持込制御装置３０，２３０は、備品管理サーバ１０，２１０から供給された備品状態情報を管理タグ７０に書き込む。
【００２６】
持出持込制御装置３０は、備品管理ファイル４０，備品状態マスタ５０又は管理タグ７０から読み出した備品状態情報を用いて、後述するように備品６０の物品状態情報が望ましい状態となっているか否かを判定し、物品状態情報が望ましい状態となっていない場合に警告を出力する。また、持出持込制御装置３０は、簡易備品管理マスタ２４０又は管理タグ７０から読み出した備品状態情報を用いて、後述するように備品６０の物品状態情報が望ましい状態となっているか否かを判定し、物品状態情報が望ましい状態となっていない場合に警告を出力する。
【００２７】
次に、持出持込制御装置３０，２３０の構成について説明する。図３は、持出持込制御装置３０，２３０の一実施例の構成図である。持出持込制御装置３０，２３０は、アンテナ３１，リーダライタ３２，制御装置３３で構成される。なお、アンテナ３１及びリーダライタ３２は、ＩＤタグ書込装置３およびＩＤタグ読出装置４に相当する。制御装置３３は、例えばパーソナルコンピュータ等から成る。
【００２８】
制御装置３３は、ＲＳ−２３２Ｃ，ＵＳＢなどの各種インターフェースを介してリーダライタ３２に接続されており、管理タグ７０への備品状態情報の書き込み又は管理タグ７０からの備品状態情報の読み出しをリーダライタ３２に要求する。リーダライタ３２は制御装置３３からの要求に応じて、管理タグ７０への備品状態情報の書き込み又は管理タグ７０からの備品状態情報の読み出しをアンテナ３１経由で行う。
【００２９】
次に、制御装置３３の構成について説明する。図４は、備品管理サーバを実現するコンピュータの一実施例の構成図である。制御装置３３は、それぞれバス２０で相互に接続されている入力装置２１，表示装置２２，ドライブ装置２３，補助記憶装置２５，メモリ装置２６，演算処理装置２７およびインターフェース装置２８で構成される。
【００３０】
入力装置２１はキーボードやマウスなどで構成され、各種操作信号を入力するために用いられる。表示装置２２はディスプレイ装置などで構成され、各種ウインドウやデータ等を表示するために用いられる。インターフェース装置２８は、モデム，ＬＡＮカード，ＲＳ−２３２Ｃ，ＵＳＢなどで構成されており、リーダライタ３２やネットワーク３００などに接続する為に用いられる。
【００３１】
制御装置３３の処理に係る備品管理プログラムは、例えば記録媒体２４の配布やネットワーク３００からのダウンロードなどによって提供される。備品管理プログラムを記録した記録媒体２４は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体が用いられる。
【００３２】
また、備品管理プログラムを記録した記録媒体２４がドライブ装置２３にセットされると、備品管理プログラムは記録媒体２４からドライブ装置２３を介して補助記憶装置２５にインストールされる。ネットワーク３００からダウンロードされた備品管理プログラムは、インターフェース装置２８を介して補助記憶装置２５にインストールされる。
【００３３】
補助記憶装置２５は、インストールされた備品管理プログラムを格納すると共に、必要なファイル，データ等を格納する。メモリ装置２６は、コンピュータの起動時に補助記憶装置２５から備品管理プログラムを読み出して格納する。そして、演算処理装置２７はメモリ装置２６に格納された備品管理プログラムに従って、制御装置３３に係る処理を実行する。
【００３４】
なお、図２の備品管理システムでは、支部２００に備品管理サーバ２１０を設置する例を表したが、備品管理サーバ２１０の機能を持出持込制御装置２３０に設けることで備品管理サーバ２１０を省略できる。
【００３５】
以下、図２の備品管理システムを用いて備品６０を管理するために必要な処理について順次説明していく。第１の処理は、備品６０の備品管理情報を備品管理ファイル４０に登録する処理である。備品管理ファイル４０に登録される備品６０の備品管理情報は、管理番号，所有者，所属，リース情報，備品状態情報，持出持込情報，所内ロケーション情報などで構成される。例えばユーザは、備品管理サーバ１０を操作して、備品管理情報を備品管理ファイル４０に登録する。
【００３６】
第２の処理は、備品６０にこれから付けられる又は既に付けられている管理タグ７０の設定処理である。管理タグ７０の設定処理では、備品管理ファイル４０に登録されている備品管理情報のうち、管理番号，所有者，所属，リース情報，備品状態情報，持出持込情報が、管理タグ７０に書き込まれる。例えばユーザは、備品管理サーバ１０を操作して管理タグ７０に管理番号，所有者，所属，リース情報，備品状態情報，持出持込情報を書き込む。
【００３７】
第３の処理は、備品６０の備品状態閾値情報を備品状態マスタ５０に登録する処理である。備品状態マスタ５０に登録される備品６０の備品状態閾値情報は、備品６０の持ち出し又は持ち込み時に、物品状態情報が望ましい状態となっているか否かを判定するための情報である。備品状態閾値情報は、備品の持ち出し又は持ち込み時に備品管理ファイル４０又は管理タグ７０に書き込まれている備品状態情報と比較して、物品状態情報が望ましい状態となっていない場合に警告を出力するための情報である。例えばユーザは、備品管理サーバ１０を操作して、備品状態閾値情報を備品状態マスタ５０に登録する。
【００３８】
第４の処理は、備品管理ファイル４０に登録されている備品６０の備品管理情報を更新する処理である。備品６０の所有者などの備品管理情報更新権限を有するユーザは、備品管理サーバ１０又はネットワーク３００を介して接続されるコンピュータを操作して、備品管理情報の更新申請を行う。例えばユーザは、ネットワーク３００を介して接続されるコンピュータのＷｅｂブラウザ上で、任意の時または任意の場所で備品管理情報の更新申請が行える。
【００３９】
第５の処理は、本部１００から支部２００に、簡易備品管理マスタ２４０の登録に必要な情報をダウンロードして簡易備品管理マスタ２４０に登録する処理である。簡易備品管理マスタ２４０に登録される簡易備品管理情報は、管理番号一覧，備品状態閾値情報などで構成される。第５の処理は、例えば所定時間毎、備品管理ファイル４０又は備品状態マスタ５０が更新されたときに行われる。
【００４０】
第６の処理は、本部１００における備品６０の持ち出しと備品６０の持ち込みとを管理する処理である。備品６０の持ち出しと備品６０の持ち込みとは、備品６０に付けられている管理タグ７０を利用して以下のように行われる。
【００４１】
備品６０を本部１００から持ち出すとき、持出持込制御装置３０は備品管理ファイル４０の備品状態情報と管理タグ７０の備品状態情報とに差異がある場合に、管理タグ７０の備品状態情報を更新する。また、持出持込制御装置３０は備品管理ファイル４０の備品状態情報と備品状態マスタ５０の備品状態閾値情報とを比較し、後述するような警告状態であれば警告を行う。持出持込制御装置３０は管理タグ７０の持出持込情報を持出し状態に更新し、備品管理ファイル４０の持出持込情報に反映させる。
【００４２】
また、備品６０を本部１００に持ち込むとき、持出持込制御装置３０は備品管理ファイル４０の備品状態情報と管理タグ７０の備品状態情報とに差異がある場合に、管理タグ７０の備品状態情報を更新する。また、持出持込制御装置３０は備品管理ファイル４０の備品状態情報と備品状態マスタ５０の備品状態閾値情報とを比較し、後述するような警告状態であれば警告を行う。持出持込制御装置３０は管理タグ７０の持出持込情報を持込み状態に更新し、備品管理ファイル４０の持出持込情報に反映させる。
【００４３】
第７の処理は、支部２００における備品６０の持ち出しと備品６０の持ち込みとを管理する処理である。備品６０の持ち出しと備品６０の持ち込みとは、備品６０に付けられている管理タグ７０を利用して以下のように行われる。
【００４４】
備品６０を支部２００から持ち出すとき又は備品６０を支部２００に持ち込むとき、持出持込制御装置２３０は管理タグ７０の備品状態情報と簡易備品管理マスタ２４０の備品状態閾値情報とを比較し、後述するような警告状態であれば警告を行う。持出持込制御装置２３０は、通過履歴および警告実績の履歴を記録する。
【００４５】
第８の処理は、備品６０に付いている管理タグ７０の設定情報を読み出し、その内容を備品管理ファイル４０に反映させることで備品管理ファイル４０の内容を棚卸しする処理である。この場合、例えば持出持込制御装置３０の一部又は全部の機能を有する携帯型端末を利用することが考えられる。
【００４６】
次に、本部１００における備品６０の持ち出しと備品６０の持ち込みとを管理する処理についてフローチャートを参照しつつ説明する。図５，図６は、本部１００における備品６０の持ち出し及び持ち込みを管理する処理の一例のフローチャートである。持出持込制御装置３０は、リーダライタ３０が管理タグ７０への書き込みまたは管理タグ７０からの読み出しをアンテナ３１経由で行える位置（以下、単にアンテナ位置という）に備品６０が置かれるとステップＳ１０に進む。
【００４７】
ステップＳ１０では、持出持込制御装置３０が、アンテナ位置に置かれた備品６０の管理タグ７０から持出持込情報を読み出し、備品６０の持ち出しか備品６０の持ち込みかを判定する。例えば持出持込制御装置３０は、管理タグ７０の持出持込情報が持込み状態のときに備品６０の持ち出しと判定し、管理タグ７０の持出持込情報が持出し状態のときに備品６０の持ち込みと判定する。ステップＳ１１に進み、持出持込制御装置３０は備品６０の持ち出しと判定すると（Ｓ１１において持出し）、ステップＳ１２に進む。
【００４８】
ステップＳ１２では、持出持込制御装置３０が、持出しである旨のメッセージを備品６０の持参者に通知し、持参者の判定待ちを一定時間行う。なお、持参者は通知されたメッセージの通りであれば、何もする必要がない。一方、持参者は通知されたメッセージの通りでなければ、備品６０の持ち込みである旨を持出持込制御装置３０に指示する。
【００４９】
ステップＳ１３に進み、持出持込制御装置３０は持参者からの指示が一定時間なければ本当に備品６０の持ち出しと判定し（Ｓ１３において持出し）、ステップＳ１４に進む。ステップＳ１４では、持出持込制御装置３０が、管理タグ７０の持出持込情報を持出し状態に更新する。
【００５０】
ステップＳ１６に進み、持出持込制御装置３０は備品管理ファイル４０の備品状態情報と備品状態マスタ５０の備品状態閾値情報とを比較し、後述するような警告状態であるか否かで警告の必要性を判定する。ステップＳ１７に進み、持出持込制御装置３０は警告が必要であると判定すると（Ｓ１７において必要あり）、ステップＳ１８に進み、警告を行うためのメッセージを持参者に通知する。ステップＳ１８の処理後、持出持込制御装置３０はステップＳ２６に進む。
【００５１】
なお、持出持込制御装置３０は警告が必要でないと判定すると（Ｓ１７において必要なし）、ステップＳ２６に進む。また、持出持込制御装置３０は持参者から備品６０の持ち込みである旨の指示があれば備品６０の持ち込みと判定し（Ｓ１３において持込み）、ステップＳ１５に進む。ステップＳ１５では、持出持込制御装置３０が、管理タグ７０の持出持込情報を持込み状態に更新したあと、ステップＳ２６に進む。
【００５２】
また、ステップＳ１１において、持出持込制御装置３０は備品６０の持込みと判定すると（Ｓ１１において持込み）、ステップＳ１９に進む。ステップＳ１９では、持出持込制御装置３０が、持込みである旨のメッセージを備品６０の持参者に通知し、持参者の判定待ちを一定時間行う。なお、持参者は通知されたメッセージの通りであれば、何もする必要がない。一方、持参者は通知されたメッセージの通りでなければ、備品６０の持ち出しである旨を持出持込制御装置３０に指示する。
【００５３】
ステップＳ２０に進み、持出持込制御装置３０は持参者からの指示が一定時間なければ本当に備品６０の持込みと判定し（Ｓ２０において持込み）、ステップＳ２１に進む。ステップＳ２１では、持出持込制御装置３０が、管理タグ７０の持出持込情報を持込み状態に更新する。
【００５４】
ステップＳ２３に進み、持出持込制御装置３０は備品管理ファイル４０の備品状態情報と備品状態マスタ５０の備品状態閾値情報とを比較し、後述するような警告状態であるか否かで警告の必要性を判定する。ステップＳ２４に進み、持出持込制御装置３０は警告が必要であると判定すると（Ｓ２４において必要あり）、ステップＳ２５に進み、警告を行うためのメッセージを持参者に通知する。ステップＳ２５の処理後、持出持込制御装置３０はステップＳ２６に進む。
【００５５】
なお、持出持込制御装置３０は警告が必要でないと判定すると（Ｓ２４において必要なし）、ステップＳ２６に進む。また、持出持込制御装置３０は持参者から備品６０の持ち出しである旨の指示があれば備品６０の持ち出しと判定し（Ｓ２０において持ち出し）、ステップＳ２２に進む。ステップＳ２２では、持出持込制御装置３０が、管理タグ７０の持出持込情報を持出し状態に更新したあと、ステップＳ２６に進む。
【００５６】
ステップＳ２６では、持出持込制御装置３０が、備品管理ファイル４０の備品状態情報と管理タグ７０の備品状態情報とを比較し、備品管理ファイル４０の備品状態情報と管理タグ７０の備品状態情報とに差異があるか否かを判定する。ステップＳ２７に進み、持出持込制御装置３０は備品管理ファイル４０の備品状態情報と管理タグ７０の備品状態情報とに差異があると判定すると（Ｓ２７においてある）、ステップＳ２８に進み、備品管理ファイル４０の備品状態情報で管理タグ７０の備品状態情報を更新する。ステップＳ２８の処理後、持出持込制御装置３０はステップＳ２９に進む。
【００５７】
持出持込制御装置３０は備品管理ファイル４０の備品状態情報と管理タグ７０の備品状態情報とに差異がないと判定すると（Ｓ２７においてなし）、ステップＳ２９に進む。ステップＳ２９では、持出持込制御装置３０が、備品６０の持出しまたは持込み時における処理の履歴を履歴管理ファイルに記録する。
【００５８】
次に、支部２００における備品６０の持ち出しと備品６０の持ち込みとを管理する処理についてフローチャートを参照しつつ説明する。図７，図８は、支部２００における備品６０の持ち出し及び持ち込みを管理する処理の一例のフローチャートである。持出持込制御装置２３０は、アンテナ位置に備品６０が置かれるとステップＳ３０に進む。
【００５９】
ステップＳ３０では、持出持込制御装置２３０が、アンテナ位置に置かれた備品６０の管理タグ７０から持出持込情報を読み出し、備品６０の持ち出しか備品６０の持ち込みかを判定する。例えば持出持込制御装置２３０は、管理タグ７０の持出持込情報が持込み状態のときに備品６０の持ち出しと判定し、管理タグ７０の持出持込情報が持出し状態のときに備品６０の持ち込みと判定する。ステップＳ３１に進み、持出持込制御装置２３０は備品６０の持ち出しと判定すると（Ｓ３１において持出し）、ステップＳ３２に進む。
【００６０】
ステップＳ３２では、持出持込制御装置２３０が、持出しである旨のメッセージを備品６０の持参者に通知し、持参者の判定待ちを一定時間行う。なお、持参者は通知されたメッセージの通りであれば、何もする必要がない。一方、持参者は通知されたメッセージの通りでなければ、備品６０の持ち込みである旨を持出持込制御装置２３０に指示する。
【００６１】
ステップＳ３３に進み、持出持込制御装置２３０は持参者からの指示が一定時間なければ本当に備品６０の持ち出しであると判定し（Ｓ３３において持出し）、ステップＳ３４に進む。ステップＳ３４では、持出持込制御装置２３０が、管理タグ７０の持出持込情報を持出し状態に更新する。
【００６２】
ステップＳ３６に進み、持出持込制御装置２３０は管理タグ７０の備品状態情報と簡易備品管理マスタ２４０の備品状態閾値情報とを比較し、後述するような警告状態であるか否かで警告の必要性を判定する。ステップＳ３７に進み、持出持込制御装置２３０は警告が必要であると判定すると（Ｓ３７において必要あり）、ステップＳ３８に進み、警告を行うためのメッセージを持参者に通知する。ステップＳ３８の処理後、持出持込制御装置２３０はステップＳ４６に進む。
【００６３】
なお、持出持込制御装置２３０は警告が必要でないと判定すると（Ｓ３７において必要なし）、ステップＳ４６に進む。また、持出持込制御装置２３０は持参者から備品６０の持ち込みである旨の指示があれば備品６０の持ち込みと判定し（Ｓ３３において持込み）、ステップＳ３５に進む。ステップＳ３５では、持出持込制御装置２３０が、管理タグ７０の持出持込情報を持込み状態に更新したあと、ステップＳ４６に進む。
【００６４】
また、ステップＳ３１において、持出持込制御装置２３０は備品６０の持込みと判定すると（Ｓ３１において持込み）、ステップＳ３９に進む。ステップＳ３９では、持出持込制御装置３０が、持込みである旨のメッセージを備品６０の持参者に通知し、持参者の判定待ちを一定時間行う。なお、持参者は通知されたメッセージの通りであれば、何もする必要がない。一方、持参者は通知されたメッセージの通りでなければ、備品６０の持ち出しである旨を持出持込制御装置２３０に指示する。
【００６５】
ステップＳ４０に進み、持出持込制御装置２３０は持参者からの指示が一定時間なければ本当に備品６０の持込みと判定し（Ｓ４０において持込み）、ステップＳ４１に進む。ステップＳ４１では、持出持込制御装置２３０が、管理タグ７０の持出持込情報を持込み状態に更新する。
【００６６】
ステップＳ４３に進み、持出持込制御装置２３０は管理タグ７０の備品状態情報と簡易備品管理マスタ２４０の備品状態閾値情報とを比較し、後述するような警告状態であるか否かで警告の必要性を判定する。ステップＳ４４に進み、持出持込制御装置２３０は警告が必要であると判定すると（Ｓ４４において必要あり）、ステップＳ４５に進み、警告を行うためのメッセージを持参者に通知する。ステップＳ４５の処理後、持出持込制御装置２３０はステップＳ４６に進む。
【００６７】
なお、持出持込制御装置２３０は警告が必要でないと判定すると（Ｓ４４において必要なし）、ステップＳ４６に進む。また、持出持込制御装置２３０は持参者から備品６０の持ち出しである旨の指示があれば備品６０の持ち出しであると判定し（Ｓ４０において持ち出し）、ステップＳ４２に進む。ステップＳ４２では、持出持込制御装置２３０が、管理タグ７０の持出持込情報を持出し状態に更新したあと、ステップＳ４６に進む。ステップＳ２６では、持出持込制御装置３０が、備品６０の持出しまたは持込み時における処理の履歴を履歴管理ファイルに記録する。
【００６８】
次に、本部１００の持出持込制御装置３０が表示する画面例についてイメージ図を参照しつつ説明する。図９は、本部１００の持出持込制御装置３０が表示する画面のイメージ図である。持出持込制御装置３０は、待機画面４００，持出処理画面４０１，更新通知画面４０２，持込処理画面４０３，警告画面４０４を表示する。なお、警告画面４０４は備品状態情報をセキュリティ対策の実施状態とした場合の例である。
【００６９】
図１０は、管理タグ７０の持出持込情報が持出し状態のときに本部１００の持出持込制御装置３０が表示する画面の遷移図である。アンテナ位置に備品６０が置かれるまで、持出持込制御装置３０は待機画面４００を表示している。アンテナ位置に備品６０が置かれると、持出持込制御装置３０はアンテナ位置に置かれた備品６０の管理タグ７０から持出持込情報を読み出し、待機画面４００から持込処理画面４０３に遷移する。
【００７０】
持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、持込処理画面４０３から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、持込処理画面４０３から待機画面４００に遷移する。
【００７１】
また、持出持込制御装置３０は備品管理ファイル４０の備品状態情報と備品状態マスタ５０の備品状態閾値情報とを比較し、警告の必要性があれば、持込処理画面４０３から警告画面４０４に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、警告画面４０４から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、警告画面４０４から待機画面４００に遷移する。
【００７２】
持込処理画面４０３の持出ボタン４１１が押下されると、持出持込制御装置３０は持込処理画面４０３から持出処理画面４０１に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、持出処理画面４０１から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、持出処理画面４０１から待機画面４００に遷移する。
【００７３】
また、持出持込制御装置３０は備品管理ファイル４０の備品状態情報と備品状態マスタ５０の備品状態閾値情報とを比較し、警告の必要性があれば、持出処理画面４０１から警告画面４０４に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、警告画面４０４から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、警告画面４０４から待機画面４００に遷移する。
【００７４】
図１１は、管理タグ７０の持出持込情報が持込み状態のときに本部１００の持出持込制御装置３０が表示する画面の遷移図である。アンテナ位置に備品６０が置かれるまで、持出持込制御装置３０は待機画面４００を表示している。アンテナ位置に備品６０が置かれると、持出持込制御装置３０はアンテナ位置に置かれた備品６０の管理タグ７０から持出持込情報を読み出し、待機画面４００から持出処理画面４０１に遷移する。
【００７５】
持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、持出処理画面４０１から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、持出処理画面４０１から待機画面４００に遷移する。
【００７６】
また、持出持込制御装置３０は備品管理ファイル４０の備品状態情報と備品状態マスタ５０の備品状態閾値情報とを比較し、警告の必要性があれば、持出処理画面４０１から警告画面４０４に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、警告画面４０４から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、警告画面４０４から待機画面４００に遷移する。
【００７７】
持出処理画面４０１の持出ボタン４１０が押下されると、持出持込制御装置３０は持出処理画面４０１から持込処理画面４０３に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、持込処理画面４０３から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、持込処理画面４０３から待機画面４００に遷移する。
【００７８】
また、持出持込制御装置３０は備品管理ファイル４０の備品状態情報と備品状態マスタ５０の備品状態閾値情報とを比較し、警告の必要性があれば、持込処理画面４０３から警告画面４０４に遷移する。持出持込制御装置３０は、備品管理ファイル４０の備品状態情報と管理タグ７０の備品状態情報とに差異を検出すると、備品管理ファイル４０の備品状態情報で管理タグ７０の備品状態情報を更新し、警告画面４０４から更新通知画面４０２に遷移する。持出持込制御装置３０は、更新通知画面４０２から待機画面４００に遷移する。なお、持出持込制御装置３０は、備品管理ファイル４０の備品状態情報と管理タグ７０の備品状態情報とに差異を検出しなければ、警告画面４０４から待機画面４００に遷移する。
【００７９】
次に、支部２００の持出持込制御装置２３０が表示する画面例についてイメージ図を参照しつつ説明する。図１２は、支部２００の持出持込制御装置２３０が表示する画面のイメージ図である。持出持込制御装置２３０は、待機画面５００，持出処理画面５０１，持込処理画面５０２，警告画面５０３を表示する。なお、警告画面５０３は備品状態情報をセキュリティ対策の実施状態とした場合の例である。
【００８０】
図１３は、管理タグ７０の持出持込情報が持出し状態のときに支部２００の持出持込制御装置２３０が表示する画面の遷移図である。アンテナ位置に備品６０が置かれるまでの間、持出持込制御装置２３０は待機画面５００を表示している。アンテナ位置に備品６０が置かれると、持出持込制御装置２３０はアンテナ位置に置かれた備品６０の管理タグ７０から持出持込情報を読み出し、待機画面５００から持込処理画面５０２に遷移する。
【００８１】
持出持込制御装置２３０は管理タグ７０の備品状態情報と簡易備品管理マスタ２４０の備品状態閾値情報とを比較し、警告の必要性があれば、持込処理画面５０２から警告画面５０３に遷移する。持出持込制御装置２３０は、警告画面５０３から待機画面５００に遷移する。なお、警告の必要性がなければ、持出持込制御装置２３０は持込処理画面５０２から待機画面５００に遷移する。
【００８２】
持込処理画面５０２の持出ボタン５１１が押下されると、持出持込制御装置２３０は持込処理画面５０２から持出処理画面５０１に遷移する。持出持込制御装置２３０は管理タグ７０の備品状態情報と簡易備品管理マスタ２４０の備品状態閾値情報とを比較し、警告の必要性があれば、持出処理画面５０１から警告画面５０３に遷移する。持出持込制御装置２３０は、警告画面５０３から待機画面５００に遷移する。なお、警告の必要性がなければ、持出持込制御装置２３０は持出処理画面５０１から待機画面５００に遷移する。
【００８３】
図１４は、管理タグ７０の持出持込情報が持込み状態のときに支部２００の持出持込制御装置２３０が表示する画面の遷移図である。アンテナ位置に備品６０が置かれるまでの間、持出持込制御装置２３０は待機画面５００を表示している。アンテナ位置に備品６０が置かれると、持出持込制御装置２３０はアンテナ位置に置かれた備品６０の管理タグ７０から持出持込情報を読み出し、待機画面５００から持出処理画面５０１に遷移する。
【００８４】
持出持込制御装置２３０は管理タグ７０の備品状態情報と簡易備品管理マスタ２４０の備品状態閾値情報とを比較し、警告の必要性があれば、持出処理画面５０１から警告画面５０３に遷移する。持出持込制御装置２３０は、警告画面５０３から待機画面５００に遷移する。なお、警告の必要性がなければ、持出持込制御装置２３０は、持出処理画面５０１から待機画面５００に遷移する。
【００８５】
持出処理画面５０１の持込ボタン５１０が押下されると、持出持込制御装置２３０は持出処理画面５０１から持込処理画面５０２に遷移する。持出持込制御装置２３０は管理タグ７０の備品状態情報と簡易備品管理マスタ２４０の備品状態閾値情報とを比較し、警告の必要性があれば、持込処理画面５０２から警告画面５０３に遷移する。持出持込制御装置２３０は、警告画面５０３から待機画面５００に遷移する。なお、警告の必要性がなければ、持出持込制御装置２３０は持込処理画面５０２から待機画面５００に遷移する。
【００８６】
次に、備品状態情報をセキュリティ対策の実施状態とした場合の例について詳細に説明する。図１５は、管理タグ７０の一例のデータ構造図である。図１６は、備品管理ファイル４０の一例のデータ構造図である。図１７は、備品状態マスタ５０の一例のデータ構造図である。図１８は、簡易備品管理マスタ２４０の一例のデータ構造図である。
【００８７】
管理タグ７０，備品管理ファイル４０，備品状態マスタ５０，簡易備品管理マスタ２４０の備品状態情報は、ＯＳ識別子，ＯＳバージョン，ワクチンソフト識別子，ウィルス定義ファイル識別子，ウィルススキャン実施日から成る。
【００８８】
図１９は、ステップＳ１６，Ｓ２３の処理の一例のフローチャートである。また、図２０は備品管理ファイル４０，備品状態マスタ５０の一例の構成図である。ステップＳ５０に進み、持出持込制御装置３０は備品管理ファイル４０の備品状態情報に含まれるＯＳ識別子およびワクチンソフト識別子に応じて、判定基準テーブルとしての備品状態マスタ５０のレコードを選定する。
【００８９】
例えば管理番号「ＡＢＣ０００３」の備品６０の場合、図２０のような備品管理ファイル４０のＯＳ識別子「ＷＩＮ０００１」およびワクチンソフト識別子「ＮＶ０１０」に応じて、その備品状態マスタ５０のＯＳ識別子「ＷＩＮ０００１」およびワクチンソフト識別子「ＮＶ０１０」のレコードが選定される。
【００９０】
ステップＳ５１に進み、持出持込制御装置３０は備品管理ファイル４０の備品状態情報に含まれるウィルス定義ファイル識別子が、ステップＳ５０で選択したレコードに含まれるウィルス定義ファイル識別子と同じか新しい場合に警告の必要性がないと判定し、それ以外の場合に警告の必要性があると判定する。
【００９１】
例えば管理番号「ＡＢＣ０００３」の備品６０の場合、図２０のような備品管理ファイル４０のウィルス定義ファイル識別子「ＩＤＥＮ００５」が、ステップＳ５０で選定した備品状態マスタ５０のレコードに含まれているウィルス定義ファイル識別子「ＩＤＥＮ００５」と同じであるので警告の必要性がないと判定される。
【００９２】
ステップＳ５２に進み、持出持込制御装置３０は備品管理ファイル４０の備品状態情報に含まれるウィルススキャン実施日が、ステップＳ５０で選択したレコードに含まれるウィルススキャン実施日と同じか新しい場合に警告の必要性がないと判定し、それ以外の場合に警告の必要性があると判定する。
【００９３】
例えば管理番号「ＡＢＣ０００３」の備品６０の場合、図２０のような備品管理ファイル４０のウィルススキャン実施日「２００３１０１４」が、ステップＳ５０で選定した備品状態マスタ５０のレコードに含まれるウィルススキャン実施日「２００３１００１」より新しいので警告の必要性がないと判定される。
【００９４】
図２１は、ステップＳ３６，Ｓ４３の処理の一例のフローチャートである。また、図２２は簡易備品管理マスタ２４０，管理タグ７０の一例の構成図である。ステップＳ６０に進み、持出持込制御装置２３０は管理タグ７０の備品状態情報に含まれるＯＳ識別子およびワクチンソフト識別子に応じて、判定基準テーブルとしての簡易備品管理マスタ２４０のレコードを選定する。
【００９５】
例えば管理番号「ＡＢＣ０００３」の備品６０の場合、図２２のような管理タグ７０のＯＳ識別子「ＷＩＮ０００１」およびワクチンソフト識別子「ＮＶ０１０」に応じて、その簡易備品管理マスタ２４０のＯＳ識別子「ＷＩＮ０００１」およびワクチンソフト識別子「ＮＶ０１０」のレコードが選定される。
【００９６】
ステップＳ６１に進み、持出持込制御装置２３０は管理タグ７０の備品状態情報に含まれるウィルス定義ファイル識別子が、ステップＳ６０で選択したレコードに含まれるウィルス定義ファイル識別子と同じか新しい場合に警告の必要性がないと判定し、それ以外の場合に警告の必要性があると判定する。
【００９７】
例えば管理番号「ＡＢＣ０００３」の備品６０の場合、図２２のような管理タグ７０のウィルス定義ファイル識別子「ＩＤＥＮ００５」が、ステップＳ６０で選定した簡易備品管理マスタ２４０のレコードに含まれているウィルス定義ファイル識別子「ＩＤＥＮ００５」と同じであるので警告の必要性がないと判定される。
【００９８】
ステップＳ６２に進み、持出持込制御装置２３０は管理タグ７０の備品状態情報に含まれるウィルススキャン実施日が、ステップＳ６０で選択したレコードに含まれるウィルススキャン実施日と同じか新しい場合に警告の必要性がないと判定し、それ以外の場合に警告の必要性があると判定する。
【００９９】
例えば管理番号「ＡＢＣ０００３」の備品６０の場合、図２２のような管理タグ７０のウィルススキャン実施日「２００３１０１４」が、ステップＳ６０で選定した簡易備品管理マスタ２４０のレコードに含まれるウィルススキャン実施日「２００３１００１」より新しいので警告の必要性がないと判定される。
【０１００】
以上、実施例１では、備品６０の持ち出し又は持ち込み時の申請を簡単な作業で実現することができると共に、持ち出し又は持ち込む備品６０の状態に応じた警告ができ、備品６０の管理を容易かつ高精度に行うことができる。
【実施例２】
【０１０１】
図２３は、本発明による備品管理システムの他の実施例の構成図である。備品管理システムは、被検査コンピュータ６００，管理タグ書込装置７００，管理タグ読出装置８００および検査コンピュータ９００を有するように構成されている。
【０１０２】
被検査コンピュータ６００は、ウィルス対策情報が書き込まれた管理タグ６０１が付けられている。被検査コンピュータ６００はＲＳ−２３２Ｃ，ＵＳＢなどの各種インターフェースを介して接続された管理タグ書込装置７００を用いて、管理タグ６０１に自機のウィルス対策情報を書き込む。
【０１０３】
また、検査コンピュータ９００はＲＳ−２３２Ｃ，ＵＳＢなどの各種インターフェースを介して接続された管理タグ読出装置８００を用いて、被検査コンピュータ６００に付けられた管理タグ６０１から被検査コンピュータ６００のウィルス対策情報を読み出す。検査コンピュータ９００は、最新のウィルス対策情報を用意し、管理タグ６０１から読み出した被検査コンピュータ６００のウィルス対策情報と用意した最新のウィルス対策情報とを比較して、被検査コンピュータ６００のウィルス対策を検査する。なお、管理タグ書込装置７００および管理タグ読出装置８００は、図３を用いて前述したアンテナ３１およびリーダライタ３２で構成される。
【０１０４】
次に、被検査コンピュータ６００が、管理タグ書込装置７００を用いて管理タグ６０１に自機のウィルス対策情報を書き込む処理について図２４を参照しつつ説明する。図２４は、管理タグ６０１に被検査コンピュータ６００のウィルス対策情報を書き込む処理を説明する為の一例の構成図である。
【０１０５】
被検査コンピュータ６００は、入力装置６０２，ウィルス対策情報収集ソフトウェア６０３，ウィルス対策情報書き込みソフトウェア６０４，外部入出力装置６０５を有するように構成される。ウィルス対策情報収集ソフトウェア６０３は実行されることにより、被検査コンピュータ６００のウィルス対策情報を収集する機能と、キーボード等の入力装置６０２から入力されたウィルス対策情報を収集する機能とを実現する。
【０１０６】
また、ウィルス対策情報書き込みソフトウェア６０４は実行されることにより、収集されたウィルス対策情報を編集し、外部入出力装置６０５及び管理タグ書込装置７００経由で管理タグ６０１にウィルス対策情報と被検査コンピュータ６００を特定する為の情報としての管理番号とを書き込む機能を実現する。
【０１０７】
図２５は、ウィルス対策情報収集ソフトウェア６０３の処理の一例のフローチャートである。ユーザによる入力装置６０２からの起動または管理タグ書込装置７００の接続イベントによる起動があると、ウィルス対策情報収集ソフトウェア６０３はステップＳ７０に進む。
【０１０８】
ステップＳ７０では、ウィルス対策情報収集ソフトウェア６０３が、入力装置６０２からの起動であるか否かを判定する。入力装置６０２からの起動であると判定すると（Ｓ７０においてＹＥＳ）、ウィルス対策情報収集ソフトウェア６０３は入力装置６０２からのウィルス対策情報の入力を受け付けて、ステップＳ７３に進む。一方、入力装置６０２からの起動でないと判定すると（Ｓ７０においてＮＯ）、ウィルス対策情報収集ソフトウェア６０３は被検査コンピュータ６００からウィルス対策情報を自動的に収集し、ステップＳ７３に進む。ステップＳ７３では、ウィルス対策情報収集ソフトウェア６０３が、ウィルス対策情報と管理番号とを編集して管理タグ６０１に書き出す。ここで、ウィルス対策情報とは、ＯＳ識別子，ＯＳバージョン情報，ワクチンソフト識別子，ウィルス定義ファイル識別子，ウィルススキャン実施日を特定できる番号や日付の情報等から成る。
【０１０９】
また、図２６はウィルス対策情報書き込みソフトウェア６０４の処理の一例のフローチャートである。ステップＳ８０に進み、ウィルス対策情報書き込みソフトウェア６０４はウィルス対策情報収集ソフトウェアで書き出されたウィルス対策情報と管理番号とを取り込む。
【０１１０】
ステップＳ８１に進み、ウィルス対策情報書き込みソフトウェア６０４はステップＳ８０で取り込んだウィルス対策情報と管理番号とを管理タグ書込情報として編集する。ステップＳ８２に進み、ウィルス対策情報書き込みソフトウェア６０４は外部入出力装置６０５経由で管理タグ書込装置７００に管理タグ書込情報を出力する。
【０１１１】
次に、検査コンピュータ９００が、管理タグ読出装置８００を用いて管理タグ６０１から被検査コンピュータ６００のウィルス対策情報と管理番号とを読み出す処理について図２７を参照しつつ説明する。図２７は、管理タグ６０１から被検査コンピュータ６００のウィルス対策情報を読み出す処理を説明する為の一例の構成図である。
【０１１２】
検査コンピュータ９００は、入力装置９０１，出力装置９０２，検査ソフトウェア９０３，外部入出力装置９０４を有するように構成される。検査ソフトウェア９０３は実行されることにより、外部入出力装置９０４および管理タグ読出装置８００経由で被検査コンピュータ６００に付けられた管理タグ６０１から被検査コンピュータ６００のウィルス対策情報と管理番号とを読み出す機能と、被検査コンピュータ６００のウィルス対策情報と用意した最新のウィルス対策情報とを比較して被検査コンピュータ６００のウィルス対策を検査する機能とを実現する。
【０１１３】
また、検査ソフトウェア９０３は実行されることにより、入力装置９０１やインターネット等のネットワークから判定基準を設定される機能と、設定された判定基準を最新のウィルス対策情報として利用する機能と、検査結果を出力装置９０２に画面や音声などで出力する機能とを実現する。
【０１１４】
さらに、検査ソフトウェア９０３は実行されることにより、検査結果と管理番号とを関連付けて管理することで、検査結果の一覧を出力装置９０２に画面や音声などで出力する機能を実現する。
【０１１５】
図２８は、検査ソフトウェア９０３の処理の一例のフローチャートである。ステップＳ９０に進み、検査ソフトウェア９０３は外部入出力装置９０４及び管理タグ読出装置８００経由で被検査コンピュータ６００に付けられた管理タグ６０１から被検査コンピュータ６００のウィルス対策情報と管理番号とを読み出す。
【０１１６】
ステップＳ９１に進み、検査ソフトウェア９０３はステップＳ９０で管理タグ６０１から読み出した被検査コンピュータ６００のウィルス対策情報と管理番号とを図２９のような管理タグ情報テーブルに設定する。図２９は、管理タグ情報テーブルの一例の構成図である。管理タグ情報テーブルは、管理番号，ＯＳ識別子，ＯＳバージョン情報，ワクチンソフト識別子，ウィルス定義ファイル識別子，ウィルススキャン実施日などから成る。
【０１１７】
ステップＳ９２に進み、検査ソフトウェア９０３は入力装置９０１やネットワークから設定された判定基準を図３０の判定基準テーブルに設定する。図３０は、判定基準テーブルの一例の構成図である。判定基準テーブルは、ＯＳ識別子，ＯＳバージョン情報，ワクチンソフト識別子，ウィルス定義ファイル識別子，ウィルススキャン実施日などから成る。
【０１１８】
ステップＳ９３に進み、検査ソフトウェア９０３は図２９の管理タグ情報テーブルと図３０の判定基準テーブルとを比較して、図３１のフローチャートのようにウィルス対策の判定を行う。図３１は、ウィルス対策の判定処理の一例のフローチャートである。
【０１１９】
ステップＳ１００に進み、検査ソフトウェア９０３は管理タグ情報テーブルのＯＳ識別子およびワクチンソフト識別子に応じて、判定基準テーブルのレコードを選定する。ステップＳ１０１に進み、検査ソフトウェア９０３は管理タグ情報テーブルのＯＳバージョン情報に含まれる更新日付が、ステップＳ１００で選択したレコードのＯＳバージョン情報に含まれる更新日付と同じか新しい場合にウィルス対策がＯＫであると判定する。
【０１２０】
ステップＳ１０２に進み、検査ソフトウェア９０３は管理タグ情報テーブルのウィルス定義ファイル識別子が、ステップＳ１００で選択したレコードのウィルス定義ファイル識別子と同じか新しい場合にウィルス対策がＯＫであると判定する。ステップＳ１０３に進み、検査ソフトウェア９０３は管理タグ情報テーブルのウィルススキャン実施日が、ステップＳ１００で選択したレコードのウィルススキャン実施日と同じか新しい場合にウィルス対策がＯＫであると判定する。
【０１２１】
図３１のウィルス対策の判定処理が終了すると、検査ソフトウェア９０３はステップＳ９４に進む。ステップＳ９４では、検査ソフトウェア９０３が、ステップＳ９３の判定結果を検査結果として出力装置９０２に画面や音声などで出力する。図３２は、ウィルス対策の検査結果を出力する画面の一例のイメージ図である。図３２の画面は、図３１のステップＳ１０１，Ｓ１０２でウィルス対策がＯＫであると判定され、ステップＳ１０３でウィルス対策がＮＧと判定された例である。また、ステップＳ９５に進み、検査ソフトウェア９０３は、検査結果の一覧を出力装置９０２に画面や音声などで出力する。
【０１２２】
図２３のような備品管理システムでは、貸し出すコンピュータを被検査コンピュータとすることで、貸し出すコンピュータのウィルス対策を管理できる。図３３は、貸し出すコンピュータのウイルス対策情報を貸し出すコンピュータの管理タグに書き込む処理の一例のフローチャートである。
【０１２３】
ステップＳ１１１に進み、ウィルス対策情報収集ソフトウェア６０３を用いて、貸し出すコンピュータのウィルス対策情報が収集される。ステップＳ１１２に進み、収集されたウィルス対策情報に応じて必要があればウィルス対策がユーザにより実施される。ステップＳ１１３に進み、ウィルス対策情報書き込みソフトウェア６０４はウィルス対策情報と管理番号とを管理タグ６０１に書き込む。
【０１２４】
図３４は、返却されたコンピュータの管理タグからウィルス対策情報を読み出してウィルス対策を検査する処理の一例のフローチャートである。貸し出したコンピュータが返却されると、検査ソフトウェア９０３はステップＳ１２１に進み、検査ソフトウェア９０３を用いて管理タグからウィルス対策情報を読み出す。
【０１２５】
ステップＳ１２２に進み、検査ソフトウェア９０３は管理タグ情報テーブルと判定基準テーブルとを比較して、ウィルス対策の判定を行う。ステップＳ１２３に進み、ウィルス対策がＯＫであると判定されると（Ｓ１２３においてＹＥＳ）、検査ソフトウェア９０３は処理を終了する。一方、ウィルス対策がＯＫでないと判定されると（Ｓ１２３においてＮＯ）、検査ソフトウェア９０３はステップＳ１２４に進む。ステップＳ１２４では、ユーザがウィルス対策の実施を行い、そのウィルス対策実施状況を返却されたコンピュータに入力する。検査ソフトウェア９０３は、ウィルス対策実施状況を返却されたコンピュータの管理タグに書き込んだあと、ステップＳ１２１の処理に戻る。
【０１２６】
以上、第２実施例では、被検査コンピュータ６００をネットワークに接続することなく被検査コンピュータ６００のウィルス対策を検査できるので、ウィルスの２次感染を防止でき、コンピュータ６００の安全性を高めることができ、被検査コンピュータのウィルス対策の管理を容易に行うことができる。
【０１２７】
本発明は、以下に記載する付記のような構成が考えられる。
（付記１）
状態が動的に変化する物品の管理を行うコンピュータに、
ＩＤタグに書き込まれている情報を読み出す読み出し手段を用いて、前記物品に付けられたＩＤタグから物品状態情報または物品識別情報を読み出す情報読み出し手順と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順と
を実行させる為の物品管理プログラム。
（付記２）
前記情報読み出し手順は、前記物品を所定の場所から持ち出し又は所定の場所に持ち込むときに、前記読み出し手段を用いて、前記物品に付けられたＩＤタグから物品状態情報または物品識別情報を読み出し、
前記判定手順は、前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報との比較結果に応じて警告を出力することを特徴とする付記１記載の物品管理プログラム。
（付記３）
前記ＩＤタグは、前記読み出し手段との間で無線通信が可能なＲＦＩＤタグであることを特徴とする付記１又は２記載の物品管理プログラム。
（付記４）
前記物品状態情報は、前記物品に施されたセキュリティ対策情報であることを特徴とする付記１乃至３何れか一項記載の物品管理プログラム。
（付記５）
前記物品状態情報は、前記物品としてのコンピュータにインストールされているウィルスチェックソフトウェアおよびウィルス定義ファイルの識別情報であることを特徴とする付記１乃至４何れか一項記載の物品管理プログラム。
（付記６）
状態が動的に変化する物品の管理を行うコンピュータに、
ＩＤタグに書き込まれている情報を読み出す読み出し手段を用いて、前記物品に付けられたＩＤタグから物品状態情報または物品識別情報を読み出す情報読み出し手順と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手順と
を実行させる為の物品管理プログラムを記録したコンピュータ読み取り可能な記録媒体。
（付記７）
状態が動的に変化する物品の管理を行う物品管理装置であって、
ＩＤタグに書き込まれている情報を読み出す読み出し手段に接続されており、
前記読み出し手段を用いて、前記物品に付けられたＩＤタグから物品状態情報または物品識別情報を読み出す情報読み出し手段と、
前記ＩＤタグから読み出した物品状態情報または所定の物品管理ファイルから読み出した前記物品識別情報に関連付けられている物品状態情報と、所定の物品状態マスタから読み出した前記物品に関連付けられている物品状態閾値情報とを比較し、その比較結果に応じた判定情報を出力する判定手段と
を有することを特徴とする物品管理装置。
【図面の簡単な説明】
【０１２８】
【図１】本発明の概要について説明するための概要図である。
【図２】本発明による備品管理システムの一実施例の構成図である。
【図３】持出持込制御装置３０，２３０の一実施例の構成図である。
【図４】備品管理サーバを実現するコンピュータの一実施例の構成図である。
【図５】本部１００における備品６０の持ち出し及び持ち込みを管理する処理の一例のフローチャート（１／２）である。
【図６】本部１００における備品６０の持ち出し及び持ち込みを管理する処理の一例のフローチャート（２／２）である。
【図７】支部２００における備品６０の持ち出し及び持ち込みを管理する処理の一例のフローチャート（１／２）である。
【図８】支部２００における備品６０の持ち出し及び持ち込みを管理する処理の一例のフローチャート（２／２）である。
【図９】本部１００の持出持込制御装置３０が表示する画面のイメージ図である。
【図１０】管理タグ７０の持出持込情報が持出し状態のときに本部１００の持出持込制御装置３０が表示する画面の遷移図である。
【図１１】管理タグ７０の持出持込情報が持込み状態のときに本部１００の持出持込制御装置３０が表示する画面の遷移図である。
【図１２】支部２００の持出持込制御装置２３０が表示する画面のイメージ図である。
【図１３】管理タグ７０の持出持込情報が持出し状態のときに支部２００の持出持込制御装置２３０が表示する画面の遷移図である。
【図１４】管理タグ７０の持出持込情報が持込み状態のときに支部２００の持出持込制御装置２３０が表示する画面の遷移図である。
【図１５】管理タグ７０の一例のデータ構造図である。
【図１６】備品管理ファイル４０の一例のデータ構造図である。
【図１７】備品状態マスタ５０の一例のデータ構造図である。
【図１８】簡易備品管理マスタ２４０の一例のデータ構造図である。
【図１９】ステップＳ１６，Ｓ２３の処理の一例のフローチャートである。
【図２０】備品管理ファイル４０，備品状態マスタ５０の一例の構成図である。
【図２１】ステップＳ３６，Ｓ４３の処理の一例のフローチャートである。
【図２２】簡易備品管理マスタ２４０，管理タグ７０の一例の構成図である。
【図２３】本発明による備品管理システムの他の実施例の構成図である。
【図２４】管理タグ６０１に被検査コンピュータ６００のウィルス対策情報を書き込む処理を説明する為の一例の構成図である。
【図２５】ウィルス対策情報収集ソフトウェア６０３の処理の一例のフローチャートである。
【図２６】ウィルス対策情報書き込みソフトウェア６０４の処理の一例のフローチャートである。
【図２７】管理タグ６０１から被検査コンピュータ６００のウィルス対策情報を読み出す処理を説明する為の一例の構成図である。
【図２８】検査ソフトウェア９０３の処理の一例のフローチャートである。
【図２９】管理タグ情報テーブルの一例の構成図である。
【図３０】判定基準テーブルの一例の構成図である。
【図３１】ウィルス対策の判定処理の一例のフローチャートである。
【図３２】ウィルス対策の検査結果を出力する画面の一例のイメージ図である。
【図３３】貸し出すコンピュータのウイルス対策情報を貸し出すコンピュータの管理タグに書き込む処理の一例のフローチャートである。
【図３４】返却されたコンピュータの管理タグからウィルス対策情報を読み出してウィルス対策を検査する処理の一例のフローチャートである。
【符号の説明】
【０１２９】
１，６０    備品
２，７０，６０１    管理タグ
３    ＩＤタグ書込装置
４    ＩＤタグ読出装置
５，３３    制御装置
１０，２１０    備品管理サーバ
２０    バス
２１    入力装置
２２    表示装置
２３    ドライブ装置
２４    記録媒体
２５    補助記憶装置
２６    メモリ装置
２７    演算処理装置
２８    インターフェース装置
３０，２３０    持出持込制御装置
３１    アンテナ
３２    リーダライタ
４０    備品管理ファイル
５０    備品状態マスタ
１００    本部
２００    支部
２４０    簡易備品管理マスタ
３００    ネットワーク
６００    被検査コンピュータ
７００    管理タグ書込装置
８００    管理タグ読出装置
９００    検査コンピュータ
【図１】
2005173732.tif 000003
【図２】
2005173732.tif 000004
【図３】
2005173732.tif 000005
【図４】
2005173732.tif 000006
【図５】
2005173732.tif 000007
【図６】
2005173732.tif 000008
【図７】
2005173732.tif 000009
【図８】
2005173732.tif 000010
【図９】
2005173732.tif 000011
【図１０】
2005173732.tif 000012
【図１１】
2005173732.tif 000013
【図１２】
2005173732.tif 000014
【図１３】
2005173732.tif 000015
【図１４】
2005173732.tif 000016
【図１５】
2005173732.tif 000017
【図１６】
2005173732.tif 000018
【図１７】
2005173732.tif 000019
【図１８】
2005173732.tif 000020
【図１９】
2005173732.tif 000021
【図２０】
2005173732.tif 000022
【図２１】
2005173732.tif 000023
【図２２】
2005173732.tif 000024
【図２３】
2005173732.tif 000025
【図２４】
2005173732.tif 000026
【図２５】
2005173732.tif 000027
【図２６】
2005173732.tif 000028
【図２７】
2005173732.tif 000029
【図２８】
2005173732.tif 000030
【図２９】
2005173732.tif 000031
【図３０】
2005173732.tif 000032
【図３１】
2005173732.tif 000033
【図３２】
2005173732.tif 000034
【図３３】
2005173732.tif 000035
【図３４】
2005173732.tif 000036